(57)【特許請求の範囲】
【請求項１】
放送信号を受信する受信装置であって、
放送信号を受信して所定のチャンネルを選局する複数の受信系統と、
前記複数の受信系統の受信動作を制御する制御部とを備え、
前記制御部は、放送電波の受信状態が良好な場合は、前記複数の受信系統は同一チャンネルを選局及び合成して番組受信処理を行い、
放送電波の受信状態が不良となり所定時間が経過すると、前記制御部は、前記複数の受信系統を番組受信用とチャンネルスキャン用に分割し、前記番組受信用の受信系統は番組受信を継続し、前記チャンネルスキャン用の受信系統は視聴番組と同一内容を放送するチャンネルを探索するチャンネルスキャン処理を行い、
前記制御部は、前記チャンネルスキャン処理において視聴番組の他に同一内容を放送するチャンネルを発見できなかった場合には前記所定時間を第１の時間に、
また前記制御部は、前記チャンネルスキャン処理において視聴番組よりも受信品質は劣るが視聴番組の他に同一内容を放送するチャンネルを発見できた場合には前記所定時間を、第１の時間よりも短い第２の時間に設定するよう制御することを特徴とする受信装置。
【請求項２】
放送信号を受信する受信装置であって、
放送信号を受信して所定のチャンネルを選局する複数の受信系統と、
前記複数の受信系統の受信動作を制御する制御部と、
前記受信装置が移動する移動速度を取得する速度情報取得部とを備え、
前記制御部は、放送電波の受信状態が良好な場合は、前記複数の受信系統は同一チャンネルを選局及び合成して番組受信処理を行い、
放送電波の受信状態が不良となり所定時間が経過すると、前記制御部は、前記複数の受信系統を番組受信用とチャンネルスキャン用に分割し、前記番組受信用の受信系統は番組受信を継続し、前記チャンネルスキャン用の受信系統は視聴番組と同一内容を放送するチャンネルを探索するチャンネルスキャン処理を行い、
前記制御部は、前記チャンネルスキャン処理において視聴番組の他に同一内容を放送するチャンネルを発見できなかった場合には前記所定時間を第１の時間（＝第１の移動距離／移動速度）に、
また前記制御部は、前記チャンネルスキャン処理において視聴番組よりも受信品質は劣るが視聴番組の他に同一内容を放送するチャンネルを発見できた場合には前記所定時間を第２の時間（＝第２の移動距離／移動速度，第１の移動距離＞第２の移動距離）に設定するよう制御することを特徴とする受信装置。
【請求項３】
請求項１または請求項２記載の受信装置において、
前記放送電波の受信状態が不良となった時点は、
前記複数の受信系統が受信するチャンネルの番組内容が、伝送中に発生するエラーに対する耐性が相対的に弱い弱階層伝送の番組から相対的に強い強階層の番組に切替った時点であることを特徴とする受信装置。
【請求項４】
請求項１または請求項２記載の受信装置において、
前記複数の受信系統を番組受信用とチャンネルスキャン用に分割する際、放送電波の受信状態が良好な受信系統を番組受信用、残る受信系統をチャンネルスキャン用に使用することを特徴とする受信装置。
【請求項５】
放送信号を受信する受信装置における受信方法であって、
前記受信装置は、
放送信号を受信して所定のチャンネルを選局する複数の受信系統と、
前記複数の受信系統の受信動作を制御する制御部と、を備え、
前記複数の受信系統で、放送信号を受信して所定のチャンネルを選局する複数の受信ステップと、
前記制御部で、前記複数の受信ステップの受信動作を制御する制御ステップとを備え、
前記制御ステップは、
放送電波の受信状態が良好な場合は、前記複数の受信ステップは同一チャンネルを選局及び合成して番組受信処理を行い、
放送電波の受信状態が不良となり所定時間が経過すると、前記複数の受信ステップを番組受信用とチャンネルスキャン用に分割し、前記番組受信用の受信ステップは番組受信を継続し、前記チャンネルスキャン用の受信ステップは視聴番組と同一内容を放送するチャンネルを探索するチャンネルスキャン処理を行い、
前記所定時間を、
前記チャンネルスキャン処理で視聴番組の他に同一内容を放送するチャンネルを発見できなかった場合には第１の時間に、
前記チャンネルスキャン処理で視聴番組よりも受信品質は劣るが視聴番組の他に同一内容を放送するチャンネルを発見できた場合には第１の時間よりも短い第２の時間に設定するよう制御することを特徴とする受信方法。
【請求項６】
放送信号を受信する受信装置における受信方法であって、
前記受信装置は、
放送信号を受信して所定のチャンネルを選局する複数の受信系統と、
前記複数の受信系統の受信動作を制御する制御部と、
前記受信装置が移動する移動速度を取得する速度情報取得部と、を備え、
前記複数の受信系統で、放送信号を受信して所定のチャンネルを選局する複数の受信ステップと、
前記制御部で、前記複数の受信ステップの受信動作を制御する制御ステップと、
前記速度情報取得部で、前記受信装置が移動する移動速度を取得する速度情報取得ステップとを備え、
前記制御ステップは、
放送電波の受信状態が良好な場合は、前記複数の受信ステップは同一チャンネルを選局及び合成して番組受信処理を行い、
放送電波の受信状態が不良となり所定時間が経過すると、前記複数の受信ステップを番組受信用とチャンネルスキャン用に分割し、前記番組受信用の受信ステップは番組受信を継続し、前記チャンネルスキャン用の受信ステップは視聴番組と同一内容を放送するチャンネルを探索するチャンネルスキャン処理を行い、
前記所定時間を、
前記チャンネルスキャン処理において視聴番組の他に同一内容を放送するチャンネルを発見できなかった場合には、第１の時間（＝第１の移動距離／移動速度）に、
前記チャンネルスキャン処理において視聴番組よりも受信品質は劣るが視聴番組の他に同一内容を放送するチャンネルを発見できた場合には第２の時間（＝第２の移動距離／移動速度，第１の移動距離＞第２の移動距離）に設定するよう制御することを特徴とする受信方法。
【請求項７】
請求項５または請求項６記載の受信方法において、
前記放送電波の受信状態が不良となる時点は、
前記複数の受信ステップが受信するチャンネルの番組内容が、伝送中に発生するエラーに対する耐性が相対的に弱い弱階層伝送の番組から相対的に強い強階層の番組に切替った時点であることを特徴とする受信方法。
【請求項８】
放送信号を受信する受信装置における受信方法であって、
前記受信装置は、
放送信号を受信して所定のチャンネルを選局する複数の受信系統と、
前記複数の受信系統の受信動作を制御する制御部と、を備え
前記複数の受信系統で、放送信号を受信して所定のチャンネルを選局する複数の受信ステップと、
前記制御部で、前記複数の受信ステップの受信動作を制御する制御ステップと、を備え、
前記制御ステップは、
受信して視聴する視聴番組の受信品質が所定の範囲内であるか否かを判定する受信品質判定ステップと、
該受信品質判定ステップが前記受信品質は所定の範囲よりも不良であると判定した場合には時間のカウントを開始するタイマステップと、
該タイマステップでカウントした時間が所定時間に達するまでの間に前記受信品質判定ステップで判定される前記受信品質が所定の範囲に回復しない場合には前記視聴番組と同一内容を放送するチャンネルを探索するチャンネルスキャンステップを有し、
前記所定時間は、
前記チャンネルスキャンステップにおいて前記視聴番組の他に同一内容を放送するチャンネルを発見できなかった場合には第１の時間に、
前記チャンネルスキャンステップにおいて前記視聴番組よりも受信品質は劣るが前記視聴番組の他に同一内容を放送するチャンネルを発見できた場合には第１の時間よりも短い第２の時間に設定されることを特徴とする受信方法。
【請求項９】
放送信号を受信する受信装置における受信方法であって、
前記受信装置は、
放送信号を受信して所定のチャンネルを選局する複数の受信系統と、
前記複数の受信系統の受信動作を制御する制御部と、を備え
前記複数の受信系統で、放送信号を受信して所定のチャンネルを選局する複数の受信ステップと、
前記制御部で、前記複数の受信ステップの受信動作を制御する制御ステップと、を備え、
前記制御ステップは、
受信して視聴する視聴番組の受信品質が所定の範囲内であるか否かを判定する受信品質判定ステップと、
該受信品質判定ステップが前記受信品質は所定の範囲よりも不良であると判定した場合には時間のカウントを開始するタイマステップと、
該タイマステップでカウントした時間が所定時間に達するまでの間に前記受信品質判定ステップで判定される前記受信品質が所定の範囲に回復しない場合には前記視聴番組と同一内容を放送するチャンネルを探索するチャンネルスキャンステップと、
前記受信装置が移動する移動速度を取得する速度情報取得ステップを有し、
前記所定時間は、
前記チャンネルスキャンステップにおいて前記視聴番組の他に同一内容を放送するチャンネルを発見できなかった場合には第１の時間（＝第１の移動距離／移動速度）に、
前記チャンネルスキャンステップにおいて前記視聴番組よりも受信品質は劣るが前記視聴番組の他に同一内容を放送するチャンネルを発見できた場合には第２の時間（＝第２の移動距離／移動速度，第１の移動距離＞第２の移動距離）に設定されることを特徴とする受信方法。
【発明の詳細な説明】
【技術分野】
【０００１】
本発明は、放送や通信を受信する受信装置、および受信方法に係り、特に移動体に搭載されて地上デジタル放送を移動しながら受信する受信装置、および受信方法に関する。
【背景技術】
【０００２】
自動車などの移動体に搭載されたデジタル放送を受信する受信装置は、現在地から別の地域に移動すると受信可能なチャンネルが変化するため、移動中に視聴番組が受信できなくなった場合には、物理チャンネルをスキャンし、移動先地域で受信可能なチャンネルを再設定する必要がある。
【０００３】
しかしながら、使用者がリモコン操作によってチャンネルスキャンを行う場合、その間は番組の視聴ができなくなるという問題がある。この問題を解決するため、例えば特許文献１では、番組を受信するためのメインチューナと、チャンネルスキャンを実行するためのサブチューナを備え、サブチューナで全周波数をスキャンして各周波数の受信強度を検出し、受信強度が閾値以上のチャンネルを受信可能とし、これらのチャンネルのみをメインチューナにスキャンさせることでチャンネルスキャンの時間短縮を行っている。
【先行技術文献】
【特許文献】
【０００４】
【特許文献１】特開２００６−１３９４５号公報
【発明の概要】
【発明が解決しようとする課題】
【０００５】
しかしながら、特許文献１の方法では、番組を視聴しながらサブチューナで受信可能なチャンネルをスキャンできるという利点があるが、最終的にチャンネル情報更新のためのチャンネルスキャンはメインチューナで行うため、この間は番組視聴が中断されてしまうという問題がある。
【０００６】
本発明は、上記問題点を鑑みて考案されたものであり、その目的は、視聴番組を中断させることなく移動先地域の番組にチャンネルを切替えることができる受信装置、および受信方法を提供することにある。
更なる目的は、チャンネルスキャンを実行するチューナは、チャンネルスキャンを実行していない間は番組視聴用のチューナとして利用可能で、またチャンネルスキャンの実行回数が少なく、チャンネルスキャン時において番組視聴用のチューナ数が減少することによる受信性能が不良になる影響を軽減可能な受信装置、および受信方法を提供することにある。
【課題を解決するための手段】
【０００７】
前記目的を達成するため本発明は、放送信号を受信する受信装置であって、放送信号を受信して所定のチャンネルを選局する複数の受信系統と、前記複数の受信系統の受信動作を制御する制御部とを備え、
前記制御部は、放送電波の受信状態が良好な場合は、前記複数の受信系統は同一チャンネルを選局及び合成して番組受信処理を行い、放送電波の受信状態が不良となり所定時間が経過すると、前記制御部は、前記複数の受信系統を番組受信用とチャンネルスキャン用に分割し、前記番組受信用の受信系統は番組受信を継続し、前記チャンネルスキャン用の受信系統は視聴番組と同一内容を放送するチャンネルを探索するチャンネルスキャン処理を行い、前記制御部は、前記チャンネルスキャン処理において視聴番組の他に同一内容を放送するチャンネルを発見できなかった場合には前記所定時間を第１の時間に、また前記制御部は、前記チャンネルスキャン処理において視聴番組よりも受信品質は劣るが視聴番組の他に同一内容を放送するチャンネルを発見できた場合には前記所定時間を第１の時間よりも短い第２の時間に設定するよう制御することを特徴としている。
【０００８】
また本発明は、放送信号を受信する受信装置であって、放送信号を受信して所定のチャンネルを選局する複数の受信系統と、前記複数の受信系統の受信動作を制御する制御部と、前記受信装置が移動する移動速度を取得する速度情報取得部とを備え、
前記制御部は、放送電波の受信状態が良好な場合は、前記複数の受信系統は同一チャンネルを選局及び合成して番組受信処理を行い、放送電波の受信状態が不良となり所定時間が経過すると、前記制御部は、前記複数の受信系統を番組受信用とチャンネルスキャン用に分割し、前記番組受信用の受信系統は番組受信を継続し、前記チャンネルスキャン用の受信系統は視聴番組と同一内容を放送するチャンネルを探索するチャンネルスキャン処理を行い、前記制御部は、前記チャンネルスキャン処理において視聴番組の他に同一内容を放送するチャンネルを発見できなかった場合には前記所定時間を第１の時間（＝第１の移動距離／移動速度）に、また前記制御部は、前記チャンネルスキャン処理において視聴番組よりも受信品質は劣るが視聴番組の他に同一内容を放送するチャンネルを発見できた場合には前記所定時間を第２の時間（＝第２の移動距離／移動速度，第１の移動距離＞第２の移動距離）に設定するよう制御することを特徴としている。
【０００９】
また本発明は、前記した受信装置において、前記放送電波の受信状態が不良となる時点は、前記複数の受信系統が受信するチャンネルの番組内容が、伝送中に発生するエラーに対する耐性が相対的に弱い弱階層伝送の番組から相対的に強い強階層の番組に切替った時点であることを特徴としている。
また本発明は、前記した受信装置において、前記複数の受信系統を番組受信用とチャンネルスキャン用に分割する際、放送電波の受信状態が良好な受信系統を番組受信用、残る受信系統をチャンネルスキャン用に使用することを特徴としている。
【００１０】
また本発明は、放送信号を受信する受信方法であって、受信して視聴する視聴番組の受信品質が所定の範囲内であるか否かを判定する受信品質判定ステップと、該受信品質判定ステップが前記受信品質は所定の範囲よりも不良になったと判定した場合には時間のカウントを開始するタイマステップと、該タイマステップでカウントした時間が所定時間に達するまでの間に前記受信品質判定ステップで判定される前記受信品質が所定の範囲に回復しない場合には前記視聴番組と同一内容を放送するチャンネルを探索するチャンネルスキャンステップを有し、
前記所定時間は、前記チャンネルスキャンステップにおいて前記視聴番組の他に同一内容を放送するチャンネルを発見できなかった場合には第１の時間に、前記チャンネルスキャンステップにおいて前記視聴番組よりも受信品質は劣るが前記視聴番組の他に同一内容を放送するチャンネルを発見できた場合には第１の時間よりも短い第２の時間に設定されることを特徴としている。
【００１１】
また本発明は、放送信号を受信する受信装置の受信方法であって、受信して視聴する視聴番組の受信品質が所定の範囲内であるか否かを判定する受信品質判定ステップと、該受信品質判定ステップが前記受信品質は所定の範囲よりも不良になったと判定した場合には時間のカウントを開始するタイマステップと、該タイマステップでカウントした時間が所定時間に達するまでの間に前記受信品質判定ステップで判定される前記受信品質が所定の範囲に回復しない場合には前記視聴番組と同一内容を放送するチャンネルを探索するチャンネルスキャンステップと、前記受信装置が移動する移動速度を取得する速度情報取得ステップを有し、
前記所定時間は、前記チャンネルスキャンステップにおいて前記視聴番組の他に同一内容を放送するチャンネルを発見できなかった場合には第１の時間（＝第１の移動距離／移動速度）に、前記チャンネルスキャンステップにおいて前記視聴番組よりも受信品質は劣るが前記視聴番組の他に同一内容を放送するチャンネルを発見できた場合には第２の時間（＝第２の移動距離／移動速度，第１の移動距離＞第２の移動距離）に設定されることを特徴としている。
【発明の効果】
【００１２】
本発明によれば、視聴番組を中断させることなく移動先地域の番組にチャンネルを切替える受信装置、および受信方法を提供することができるという効果がある。
更には実施形態に応じて、チャンネルスキャンを実行するチューナは、チャンネルスキャンを実行していない間は番組視聴用チューナとして利用可能で、またチャンネルスキャンを適切なタイミングで実行することで、チャンネルスキャンを実行する回数が少なく、チャンネルスキャン時の受信状態が不良になる影響を低減可能な受信装置、および受信方法を提供することができるという効果がある。
【図面の簡単な説明】
【００１３】
【図１】実施形態１における受信装置１の構成を示すブロック図である。
【図２】実施形態１における受信動作を示すフローチャートである。
【図３】実施形態１におけるスキャン処理を示すフローチャートである。
【図４】第１放送局及び第２放送局の受信可能地域を示す図である。
【図５】実施形態２におけるスキャン処理を示すフローチャートである。
【図６】実施形態３におけるスキャン処理を示すフローチャートである。
【図７】実施形態４におけるスキャン処理を示すフローチャートである。
【図８】実施形態５における受信装置１の構成を示すブロック図である。
【図９】実施形態５におけるスキャン処理を示すフローチャートである。
【発明を実施するための形態】
【００１４】
以下、本発明の実施形態につき、図面に基づいて説明する。なお、本発明の実施形態における受信装置では、日本の地上デジタル放送の伝送方式であるＩＳＤＢ−Ｔ（Integrated Services Digital Broadcasting for Terrestrial）による放送信号を受信し、ＭＰＥＧ２−ＴＳ（Transport Stream）（以下、ＴＳ信号）形式の映像・音声信号をデコードすることができる。ＩＳＤＢ−Ｔでは、１チャンネルの伝送帯域を１３個のセグメントに分割し、それぞれのセグメントを組み合わせて、最大３階層までの階層伝送を行うことができる。現在、この階層伝送を利用し、１２個のセグメントを使用して固定受信端末向けの高品質な放送（以下、１２セグ放送）と、残りの１個のセグメントを使用して携帯受信端末向けの低品質な放送（以下、ワンセグ放送）が行われている。１２セグ放送とワンセグ放送は、同じ番組内容を放送するサイマル放送が主流である。ここで、１２セグ放送は伝送容量が大きく高品質な放送であるがエラー耐性に弱く、放送電波の受信状態が比較的良好でないと受信できない。一方、ワンセグ放送は伝送容量が小さく低品質な放送であるがエラー耐性に強く、放送電波の受信状態が比較的不良であっても受信できるという特徴がある。
【実施例１】
【００１５】
図１は、本発明の実施形態１における受信装置１の構成を示すブロック図である。
アンテナ部２ａは、放送局から送信された放送電波を受信し、選局部３ａに供給する。選局部３ａは、供給された放送信号から制御部８からの指示により所望のチャンネルを選局し、復調部４に供給する。アンテナ部２ａと選局部３ａを備える受信系統を第１受信系統１０ａとする。また、アンテナ部２ｂ及び選局部２ｂは、アンテナ部２ａ及び選局部３ａと同様の機能を有し、これらを備える受信系統を第２受信系統１０ｂとする。
【００１６】
復調部４は、第１受信系統１０ａ及び第２受信系統１０ｂより供給された各々のチャンネル信号に対して復調処理を行い、生成されたＴＳ信号をＴＳ解析部５ａ又はＴＳ解析部５ｂに出力する。第１受信系統１０ａのチャンネル信号より生成されたＴＳ信号をＴＳ解析部５ａに出力する場合は、第２受信系統１０ｂのチャンネル信号より生成されたＴＳ信号はＴＳ解析部５ｂに出力され、第１受信系統１０ａのチャンネル信号より生成されたＴＳ信号をＴＳ解析部５ｂに出力する場合は、第２受信系統１０ｂのチャンネル信号より生成されたＴＳ信号はＴＳ解析部５ａに出力される。
【００１７】
また、復調部４は、制御部８からの指示により、第１受信系統１０ａ及び第２受信系統１０ｂより供給された各々のチャンネル信号を合成して復調処理を行うこともできる（以下、ダイバーシティ合成復調）。具体的なダイバーシティ合成復調方法として、例えば、各々のチャンネル信号を復調処理する過程で抽出される複数のＯＦＤＭ（Orthogonal Frequency Division Multiplexing）サブキャリアについて、サブキャリア毎に重み付け合成する最大比合成法を利用する。あるいは、最大電力のチャンネル信号を選択してその他のチャンネル信号は破棄する選択合成法、各々のチャンネル信号の位相を同一にして合成する等利得合成法などを利用しても良い。ダイバーシティ合成復調が行われた場合、生成されたＴＳ信号はＴＳ解析部５ａに出力される。
【００１８】
さらに、復調部４は復調処理の過程で得られるチャンネル信号の受信状態の良し悪しを示す情報（以下、受信品質情報）を制御部８に供給する。受信品質情報とは、例えば、ビット誤り率（ＢＥＲ：Bit Error Rate）、ＴＳパケット誤り率（ＰＥＲ：Packet Error Rate）、ＴＳパケットのエラー有無を示すＴＳエラーフラグ、受信ＣＮＲ（Carrier to Noise Ratio）、受信電力、同期状態などである。これらの情報は、制御部８において受信動作の制御に用いられる。以下、受信品質情報は大きいほど受信状態は良好、小さいほど受信状態は不良であるものとする。
【００１９】
ＴＳ解析部５ａは、入力されたＴＳ信号から番組特定情報（ＰＳＩ：Program Specific Information）及び番組配列情報（ＳＩ：Service Information）を抽出し、各情報をメモリに保持する。また、抽出されたＰＳＩ／ＳＩから映像及び音声が含まれるＴＳパケットの識別子（ＰＩＤ：Packet Identifier）を抽出し、ＴＳ信号を各ＰＩＤでフィルタリングして映像ＴＳパケット及び音声ＴＳパケットをデコード部６に出力する。
【００２０】
デコード部６は、ＴＳ解析部５ａより供給された映像ＴＳパケット及び音声ＴＳパケットから映像及び音声をデコードし、デコードした映像及び音声を出力部７に供給する。デコード部６は、１２セグ放送の映像及び音声とワンセグ放送の映像及び音声を両方同時にデコード可能であり、制御部８からの指示に従い、どちらか一方の映像及び音声を選択して出力部７に供給する。
【００２１】
ここで、制御部８が１２セグ放送の映像及び音声とワンセグ放送の映像及び音声のどちらを選択するかについては、例えば次のように行われる。制御部８は、復調部４より受信品質情報を繰り返し取得する。制御部８が１２セグ放送の映像及び音声を選択している場合には、受信品質情報に１２セグ放送のＢＥＲ又はＰＥＲを利用し、この値が所定条件よりも小さくなった場合（受信状態が不良になった場合）にワンセグ放送の映像及び音声に切替える。また、制御部１８がワンセグ放送の映像及び音声を選択している場合は、１２セグ放送のＢＥＲ又はＰＥＲが所定条件よりも大きくなった場合（受信状態が良好になった場合）に１２セグ放送の映像及び音声に切替える。
【００２２】
出力部７は、例えばディスプレイやスピーカを備え、デコード部６より供給された映像信号をディスプレイに表示し、また音声信号をスピーカに出力する。ＴＳ解析部５ｂは、チャンネルスキャンを実施する際に使用され、入力されたＴＳ信号からＰＳＩ及びＳＩを抽出し、各情報を制御部８に供給する。また、ＴＳ解析部５ｂは、抽出されたＰＳＩ／ＳＩから映像及び音声が含まれるＴＳパケットの識別子（ＰＩＤ：Packet Identifier）を抽出し、ＴＳ信号を各ＰＩＤでフィルタリングして映像ＴＳパケット及び音声ＴＳパケットを図示していないデコード部や録画装置部に出力し、２番組視聴や番組録画を行うために使用することもできる。
制御部８は、受信装置１の受信動作を制御する。操作部９は、リモコン又はタッチパネル式ディスプレイなどで構成され、使用者が操作した操作情報を制御部８に供給する。
【００２３】
以下、図２を参照して本発明の実施形態１における受信動作を説明する。
図２は、受信装置１の受信動作を示すフローチャートである。使用者によって操作部９より視聴番組の選択操作が行われ、操作情報が制御部８に供給されると本フローチャートを開始する。
【００２４】
まず、制御部８はステップＳ２０１において、第１受信系統１０ａ及び第２受信系統１０ｂに使用者が指定した番組に対応する物理チャンネルを選局させる。ステップＳ２０２に進み、制御部８は復調部４に対してダイバーシティ合成復調を行うように制御する。ダイバーシティ合成復調により生成されたＴＳ信号は、ＴＳ解析部５ａに出力され、デコード部６においてデコード処理が行われ、選局時の受信品質情報に基づいて１２セグ放送の映像及び音声またはワンセグ放送の映像及び音声のどちらか一方が出力部７に出力され、使用者に所望の番組が提供される。以上の処理により、受信装置１は第１受信系統１０ａ及び第２受信系統１０ｂの両方を利用して番組視聴を行うことができる。
【００２５】
次に制御部８は、ステップＳ２０３で、復調部４より受信品質情報を取得し、ステップＳ２０４で、取得した受信品質情報を所定条件と比較し、受信品質情報が所定条件よりも小さい場合（受信状態が不良になった場合）はステップＳ２０５に進む。受信品質情報が所定条件よりも大きい場合（受信状態が良好な場合）はステップＳ２０３に戻り、ステップＳ２０３とステップＳ２０４を繰返し行う。所定条件とは、例えば、受信品質情報に受信ＣＮＲを用いて所定条件＝２０ｄＢとし、受信ＣＮＲが２０ｄＢ以上の場合にはステップＳ２０３に戻り、２０ｄＢ未満の場合にはステップＳ２０５に進む。なお、ここで挙げた数値は一例であり、受信品質情報には受信ＣＮＲではなく、ＢＥＲやＰＥＲなどを使用することもできる。
【００２６】
ここで、ステップＳ２０３とステップＳ２０４は、制御部８がデコード部６に対して行う１２セグ放送からワンセグ放送への切替えアルゴリズムと連動させることができる。この場合、デコード部６が１２セグ放送からワンセグ放送の選択に切替えたタイミングと同時にステップＳ２０４からステップＳ２０５に移行する。これにより、ステップＳ２０３とステップＳ２０４のソフトウェア実装が不要となり、ソフトウェア開発負荷を低減することができる。
【００２７】
ステップＳ２０５では、チャンネルスキャンを開始するまでの待ち時間（以下、タイマ時間）を設定する。タイマ時間は、ステップＳ２１１のスキャン処理の中で決定される。したがって、使用者が視聴番組の選択を行ってからステップＳ２１１が一度も行われていない場合、タイマ時間は予め定められた初期タイマ値を設定する。初期タイマ値は、後で詳述する“タイマ時間Ｂ”とする。“タイマ時間Ｂ”は比較的短い時間であり、チャンネルスキャンにより受信状態が良好な中継局のチャンネルに切替えることができれば、ワンセグ放送から１２セグ放送の番組視聴に早期に切替えることができる。
【００２８】
次に、ステップＳ２０６でタイマを開始する。
続いて制御部８は、ステップＳ２０７で、復調部４より受信品質情報を取得し、ステップＳ２０８で、取得した受信品質情報を所定条件と比較し、受信品質情報が所定条件よりも大きい場合（受信状態が回復した場合）はステップＳ２０３に戻り、受信品質情報が所定条件よりも小さい場合（受信状態が不良のままの場合）はステップＳ２０９に進む。所定条件とは、例えば、受信品質情報に受信ＣＮＲを用いて所定条件＝２０ｄＢとし、受信ＣＮＲが一定時間２０ｄＢ以上となった場合にはステップＳ２０３に戻り、２０ｄＢ未満の場合にはステップＳ２０９に進む。なお、ここで挙げた数値は一例であり、受信品質情報には受信ＣＮＲではなく、ＢＥＲ（ステップＳ２０３に戻る条件は、例えば、一定時間ＢＥＲ＞２×１０−４が継続した場合）やＰＥＲ（ステップＳ２０３に戻る条件は、例えば、一定時間ＰＥＲ＝０が継続した場合）などを使用することもできる。ここで、ステップＳ２０７とステップＳ２０８は、ステップＳ２０７で、受信品質情報として１２セグ放送のＢＥＲ又はＰＥＲを取得し、ステップＳ２０８で、取得した情報から１２セグ放送が受信可能であるか否かを判断し、１２セグ放送が受信可能であれば受信状態が回復したものと判断すれば良い。あるいは、ステップＳ２０７とステップＳ２０８は、制御部８がデコード部６に対して行うワンセグ放送から１２セグ放送への切替えアルゴリズムと連動させることができる。この場合、デコード部６がワンセグ放送から１２セグ放送の選択に切替えたタイミングと同時にステップＳ２０８からステップＳ２０３に移行する。
【００２９】
ステップＳ２０９は、タイマがステップＳ２０５で設定したタイマ時間に達したかどうかを判定し、タイマ時間に達していない場合はステップＳ２０７に戻り、ステップＳ２０７〜ステップＳ２０９を繰り返し行う。また、タイマ時間に達した場合は、受信状態が不良の状態が続いているのでチャンネルスキャンを行う必要があるため、ステップＳ２１０に進む。
【００３０】
ステップＳ２１０では、制御部８は復調部４に対してダイバーシティ合成復調を停止し、第１受信系統１０ａ及び第２受信系統１０ｂより供給される各チャンネル信号をそれぞれ独立に復調処理を行うように制御する。第１受信系統１０ａのチャンネル信号を復調し生成されたＴＳ信号はＴＳ解析部５ａに、第２受信系統１０ｂのチャンネル信号を復調し生成されたＴＳ信号はＴＳ解析部５ｂにそれぞれ出力される。これにより、第１受信系統１０ａを番組視聴用の受信系統として利用し、第２受信系統１０ｂを番組視聴用から切り離し、チャンネルスキャンを行うための受信系統として利用することができる。
【００３１】
また、ステップＳ２１０の別の方法として、制御部８はまず復調部４より第１受信系統１０ａ及び第２受信系統１０ｂより供給される各チャンネル信号の受信品質情報（例えば、各チャンネル信号の受信ＣＮＲ）を取得する。そして、制御部８は復調部４に対してダイバーシティ合成復調を停止させ、第１受信系統１０ａ及び第２受信系統１０ｂより供給される各チャンネル信号をそれぞれ独立に復調処理を行うように制御する。受信品質情報が大きい受信系統のチャンネル信号を復調し生成されたＴＳ信号はＴＳ解析部５ａに、受信品質情報が小さい受信系統のチャンネル信号を復調し生成されたＴＳ信号はＴＳ解析部５ｂにそれぞれ出力される。これにより、第１受信系統１０ａと第２受信系統１０ｂのうち、受信状態が良好な方の受信系統を番組視聴用の受信系統として利用することができ、チャンネルスキャン時に番組視聴用の受信系統が２つから１つに減少した際の受信状態の不良を軽減することができる。
【００３２】
続いて、ステップＳ２１１で同一内容を放送するチャンネルを探索するためのチャンネルスキャンを実行する。ステップＳ２１１の詳細については、いくつかの例を後に説明する。
ステップＳ２１１が終わると、番組視聴用の受信系統およびチャンネルスキャン用の受信系統は、同一チャンネルが選局されている。選局されているチャンネルは、ステップＳ２１１で視聴チャンネルよりも受信状態が良好な中継局のチャンネルが見つかった場合は該中継局のチャンネル、視聴チャンネルよりも受信状態が良好な中継局のチャンネルが見つからなかった場合はこれまでの視聴チャンネルのままとなっている。そして、ステップＳ２０２に戻り、制御部８は復調部４にダイバーシティ合成復調を行わせ、これにより、第１受信系統１０ａ及び第２受信系統１０ｂの両方を利用して番組受信を行う。ここで、ステップＳ２１１で視聴チャンネルよりも受信状態が良好な中継局のチャンネルが見つからなかった場合は、受信状態が不良である状態（ワンセグ放送を視聴している状態）が続いており、ステップＳ２０４ではＹＥＳ判定となり、チャンネルスキャンを開始するまでのタイマ（ステップＳ２０６）が即座に開始される。その際ステップＳ２０５で設定されるタイマ時間は、先のステップＳ２１１で決められた値とされる。
【００３３】
次に、ステップＳ２１１のスキャン処理について、図３及び図４を用いて説明する。
図３は、スキャン処理の動作を示すフローチャートである。以降、ステップＳ２１０において、第１受信系統１０ａが番組視聴用の受信系統、第２受信系統１０ｂがチャンネルスキャン用の受信系統にそれぞれ割り当てられたものとして説明する。
【００３４】
まず、ステップＳ３０１で、制御部８は第２受信系統１０ｂに対して視聴番組の中継局のチャンネルを選局させる。視聴番組の中継局のチャンネルは、視聴番組のＮＩＴ情報に記述されている。制御部８はチャンネルスキャンを実行する前に視聴番組のＮＩＴ情報から中継局の全チャンネル情報をメモリに格納しておく。
【００３５】
次に、ステップＳ３０２で、制御部８は復調部４より受信品質情報を取得し、１２セグ放送又はワンセグ放送のうち少なくともどちらか一方が視聴可能な受信状態であるかどうかを判定する。そして、受信可能であると判定した場合には、制御部８はＴＳ解析部５ｂよりＮＩＴ（Ｎｅｔｗｏｒｋ  Ｉｎｆｏｒｍａｔｉｏｎ  Ｔａｂｌｅ）情報を取得し、ＮＩＴ情報に含まれているネットワークＩＤ（ｎｅｔｗｏｒｋ＿ｉｄ）が視聴番組のネットワークＩＤと一致していれば、このチャンネルが視聴番組の中継局であると判断する。
【００３６】
そして、ステップＳ３０３で、中継局の全てのチャンネルについて選局が行われたかどうかを確認し、選局していないチャンネルが存在する場合はステップＳ３０１に戻り、全てのチャンネルを選局した場合はステップＳ３０４に進む。
ステップＳ３０４では、ステップＳ３０２において受信可能な中継局のチャンネルが発見できたかどうかを確認し、受信可能な中継局がある場合は、これまでの視聴チャンネルよりも受信状態が良好な中継局のチャンネルが見つかった可能性があるので、ステップＳ３０５に進む。受信可能な中継局がない場合はステップＳ３０７に進む。
【００３７】
ステップＳ３０５では、ステップＳ３０２で発見した受信可能な中継局のチャンネルの中から受信品質情報が最大の（即ち、受信品質が最も良い）チャンネルを抽出し、このチャンネルが視聴番組のチャンネルと同一であるかどうかを判定する。視聴番組と異なる場合は、これまでの視聴チャンネルよりも受信状態が良好な中継局のチャンネルが見つかったので、ステップＳ３０６に進む。視聴番組と同一の場合はステップＳ３０８に進む。
ステップＳ３０６では、制御部８は番組視聴用の第１受信系統及びチャンネルスキャン用の第２受信系統のそれぞれに対して、受信品質情報が最大の中継局のチャンネルを選局する。続いてステップＳ３０７では、次回のステップＳ２０５を行う際のタイマ時間として設定する“タイマＡ”をメモリし、スキャン処理を終了する。
【００３８】
一方、ステップＳ３０８では、ステップＳ３０２において視聴番組のチャンネル以外にも受信可能な中継局のチャンネルが見つかったかどうかを確認する。該当チャンネルが見つかった場合は、引続き移動するうち、間もなく該チャンネルの受信状態がこれまでの視聴チャンネルの受信状態よりも良好となる可能性があるので、ステップＳ３０９に進み、次回のステップＳ２０５を行う際のタイマ時間として設定する“タイマＢ”をメモリし、スキャン処理を終了する。また、該当チャンネルが見つからなかった場合はステップＳ３０７に進み、“タイマＡ”をメモリし、スキャン処理を終了する。
【００３９】
ここで、“タイマＡ”および“タイマＢ”について説明する。
“タイマＢ”は“タイマＡ”よりも短い時間とする。“タイマＢ”が設定される条件は、ステップＳ３０８でＹＥＳとされた場合、即ちチャンネルスキャンの結果、受信状態は視聴番組のチャンネルと比較して不良であるが、受信可能な中継局のチャンネルが見つかった場合である。この場合、移動体の移動に伴い短時間のうちに視聴番組のチャンネルの受信状態が中継局のチャンネルの受信状態よりも良好となる可能性がある。したがって、“タイマＢ”を短い時間に設定することで、チャンネルスキャンを繰返す頻度を増やし、両者の受信状態が逆転した際に、すばやく中継局のチャンネルに切替えることができる。
【００４０】
“タイマＢ”には、具体的には例えば以下の時間を設定する。スキャン処理に要する最大時間は、探索する全中継局のチャンネル数が５０（地上デジタル放送の全チャンネル数）、１チャンネルのスキャン時間を１秒とすれば、およそ５０秒となる。チャンネルスキャンを繰返す頻度を増やすためには、第１受信系統１０ａ及び第２受信系統１０ｂの双方を用いた番組視聴はスキャン処理に要する時間よりも短いことが望ましく、したがって“タイマＢ”には５０秒以下の時間を設定すれば良い。
【００４１】
一方、ステップＳ３０８でＮＯとされた場合、即ち視聴番組のチャンネル以外に受信可能な中継局のチャンネルが見つからなかった場合は、移動体の周辺に中継局が存在しないためチャンネルスキャンを頻繁に繰返しても、中継局のチャンネルに切替えが生じることはない。またステップＳ３０５で、これまでの視聴チャンネルよりも受信状態が良好な中継局のチャンネルが見つかった場合には、移動体の周辺に中継局が存在し、しばらくの間は良好な受信状態を継続できる可能性が大きい。したがって、“タイマＢ”よりも長い“タイマＡ”を設定することで、チャンネルスキャンを繰返す頻度を減らして第１受信系統１０ａ及び第２受信系統１０ｂの双方を用いた番組視聴の時間を長く取り、チャンネルスキャン時に番組視聴用の受信系統が２つから１つに減少して受信状態が不良となってしまう状況の発生を低減することができる。
“タイマＡ”は、例えば、先に示した“タイマＢ”の５０秒よりも長い時間を設定すれば良く、第１受信系統１０ａ及び第２受信系統１０ｂを用いた番組視聴を優先させるために、具体的には５分程度の時間を設定することが望ましい。
【００４２】
図４は、第１放送局及び第１放送局の中継局である第２放送局から送信される放送信号の受信可能地域を示す図である。図４において、第１地点から第６地点までを移動体が移動するときの受信装置１の受信動作を考える。
【００４３】
移動を開始する第１地点は、第１放送局の１２セグ放送及びワンセグ放送の両方が受信可能な場所である。第２地点は、第１放送局のワンセグ放送が受信可能な場所である。第３地点は、第１放送局及び第２放送局のワンセグ放送が受信可能な場所である。第４地点は、第２放送局のワンセグ放送が受信可能な場所である。第５地点及び移動を終了する第６地点は、第２放送局の１２セグ放送及びワンセグ放送の両方が受信可能な場所である。移動経路上のａ〜ｈ地点は、チャンネルスキャンが実行された場所を示している。
【００４４】
第１地点において、受信装置１は第１受信系統１０ａ及び第２受信系統１０ｂに第１放送局のチャンネルを選局し、１２セグ放送を受信する。第２地点に移動すると、受信装置１は１２セグ放送が受信不可となり、ワンセグ放送の受信に切替える。また、受信装置１はチャンネルスキャンを開始するまでのタイマ時間として初期タイマ値（例えば“タイマＢ”）を設定する。そして、タイマ時間が経過し、受信装置１はａ地点にて、第１受信系統１０ａで番組受信を継続しながら、第２受信系統１０ｂでチャンネルスキャンを実行する。ａ地点では、第１放送局のチャンネル以外に受信可能な中継局のチャンネルが存在せず、受信装置１はチャンネルスキャンを実行後も第１放送局のワンセグ放送の受信を継続する（ステップＳ３０８のＮＯ）。このとき、次回のチャンネルスキャンを開始するまでのタイマ時間として“タイマＡ”が設定される。“タイマＡ”の時間が経過する毎にｂ地点、ｃ地点にてチャンネルスキャンが行われる。
【００４５】
ｃ地点では、チャンネルスキャンの結果、第２放送局のワンセグ放送が受信可能であると判明するが、第１放送局の受信状態の方が良好のため、受信装置１は第１放送局のワンセグ放送の受信を継続する（ステップＳ３０８のＹＥＳ）。このとき、次回のチャンネルスキャンを開始するまでのタイマ時間として“タイマＡ”よりも短い“タイマＢ”が設定される。“タイマＢ”の時間が経過する毎にｄ地点、ｅ地点、ｆ地点にてチャンネルスキャンが行われる。
【００４６】
ｆ地点では、チャンネルスキャンの結果、第２放送局の受信状態が第１放送局の受信状態よりも良好のため、受信装置１は第１受信系統１０ａ及び第２受信系統１０ｂに第２放送局のチャンネルを選局し、第２放送局のワンセグ放送の受信に切替える（ステップＳ３０６）。このとき、次回のチャンネルスキャンを開始するまでのタイマ時間として“タイマＡ”が設定される。
【００４７】
“タイマＡ”の時間が経過すると、ｇ地点では、チャンネルスキャンの結果、視聴している第２放送局以外に受信可能な中継局のチャンネルが見つからないため、受信装置１は第２放送局のワンセグ放送の受信を継続する（ステップＳ３０８のＮＯ）。また、次回のチャンネルスキャンを開始するまでのタイマ時間として“タイマＡ”が設定される。
【００４８】
“タイマＡ”の時間が経過するとｈ地点においてチャンネルスキャンが行われるが、ｇ地点と同様の結果となるため、受信装置１は第２放送局のワンセグ放送の受信を継続する。第５地点に達すると、第２放送局の１２セグ放送が受信可能となるため、受信装置１は１２セグ放送の受信に切替える（ステップＳ２０８のＹＥＳ）。受信状態が良好（１２セグ放送が受信可能）な場合（ステップＳ２０４のＮＯ）、タイマはリセットされ、受信装置１はチャンネルスキャンを実行しないまま第６地点に達する。
【００４９】
以上のように、本発明の実施形態１の受信装置１は、視聴番組を中断させることなく移動先地域の番組にチャンネルを切替えることができる。
チャンネルスキャンの結果、視聴番組のチャンネル以外に受信可能な中継局のチャンネルが存在しない場合は、付近に中継局が存在しないと考え、次回のチャンネルスキャンを開始するまでの時間を長くし（“タイマＡ”）、チャンネルスキャンを繰返す回数を低減している。したがって、できる限り第１受信系統１０ａ及び第２受信系統１０ｂの両方を番組視聴のために利用することができると共に、チャンネルスキャン時に一方の受信系統のみで番組視聴を継続する際における受信状態不良の発生を最小限に留めることができる。
【００５０】
また、チャンネルスキャンの結果、視聴番組のチャンネル以外に受信可能な中継局のチャンネルが存在する場合は、次回のチャンネルスキャンを開始するまでの時間を短くし（“タイマＢ”）、 チャンネルスキャンを繰返す回数を増加させている。したがって、視聴番組のチャンネルの受信状態よりも前記中継局のチャンネルの受信状態が良好となった場合に、すばやく中継局のチャンネルに切替えることができる。
【実施例２】
【００５１】
図５は、本発明の実施形態２におけるスキャン処理の動作を示すフローチャートである。
図３で示したスキャン処理との差は、ステップＳ３０５とステップＳ３０６の間にステップＳ５０１を加えたことである。図３では、第２受信系統１０ｂ（チャンネルスキャンを行う受信系統）によりチャンネルスキャンを行った結果、ステップＳ３０５において、視聴番組のチャンネルよりも受信状態が良好な中継局のチャンネルが見つかった場合に、この中継局のチャンネルに切替えを行った。一方、実施形態２ではステップＳ３０５に続いてステップＳ５０１を行う。ステップＳ３０５では、制御部８は復調部４より、第１受信系統（チャンネルスキャン中に番組視聴を継続して行っている受信系統）１０ａのチャンネル信号の受信品質情報を取得し、これよりも第２受信系統１０ｂがチャンネルスキャンで発見した中継局のチャンネルの受信品質情報が大きい値かどうかを判定し、大きい場合はステップＳ３０６に進み中継局のチャンネルに切替えを行う。
【００５２】
最も望ましい方法は、第１受信系統１０ａ及び第２受信系統１０ｂのダイバーシティ合成復調による番組受信を行わせた際の受信状態が最良となるチャンネルを選択する方法であるが、チャンネルスキャン時は各受信系統を独立して動作させているため、このような判断を行うことができない。しかし、本実施形態に示すように、第１受信系統１０ａの受信状態を考慮して中継局へ切替えるかどうかを判定することで、実施形態１と比較し、より適切なチャンネルを番組視聴用に選択することができる。
【実施例３】
【００５３】
図６は、本発明の実施形態３におけるスキャン処理の動作を示すフローチャートである。
図５で示したスキャン処理との差は、ステップＳ５０１でＮＯと判定された場合に、次回のステップＳ２０５を行う際のタイマ時間として“タイマＣ”を設定するステップＳ６０１を加えたことである。ここで、“タイマＣ”は、“タイマＣ”＜“タイマＢ”＜“タイマＡ”となる時間である。
【００５４】
以上のように、チャンネルスキャンを行い、第２受信系統１０ｂ（チャンネルスキャンを行う受信系統）が視聴番組のチャンネルよりも受信状態の良好な中継局のチャンネルを見つけたが、第１受信系統１０ａ（チャンネルスキャン中に番組視聴を継続して行っている受信系統）の視聴番組に対しては受信状態が不良であるといった状況においては、移動体の移動で周囲の受信状況が変化すると、短時間で中継局へ切替えるべき受信状況となる可能性がある。したがって、次回のチャンネルスキャンを開始するまでの時間は“タイマＢ”よりも短い時間に設定することで、より適切なタイミングで中継局への切替えを行うことができる。
【実施例４】
【００５５】
図７は、本発明の実施形態４におけるスキャン処理の動作を示すフローチャートである。
図３で示したスキャン処理との差は、ステップＳ３０８とステップＳ３０９の間にステップＳ７０１を加えたことである。
【００５６】
第２受信系統１０ｂ（チャンネルスキャンを行う受信系統）がチャンネルスキャンを行った結果、視聴番組のチャンネルの受信状態が最良であったが、ステップＳ３０８で視聴番組のチャンネル以外にも受信可能な中継局のチャンネルが見つかった場合に、ステップＳ７０１が行われる。ステップＳ７０１では、制御部８は、視聴番組のチャンネルの受信品質情報と、視聴番組のチャンネル以外に受信可能な中継局のチャンネル（該当チャンネルが複数存在する場合は最も受信状態が良好な中継局のチャンネル）の受信品質情報を比較し、差分値が所定範囲内であればステップＳ３０９に進み“タイマＢ”を設定し、所定範囲外であればステップＳ３０７に進み“タイマＡ”を設定する。
【００５７】
これにより、チャンネルスキャンにより受信可能な中継局のチャンネルが見つかったが、受信状態が視聴番組のチャンネルと比較して所定範囲よりも低い場合は、短い時間の“タイマＢ”ではなく、長い時間の“タイマＡ”が設定されるようにする。
以上により、チャンネルスキャンにより中継局へのチャンネルの切替えが発生する可能性の高い場所に移動した場合に限りチャンネルスキャンを行う頻度を多くでき、チャンネルスキャンの実施回数を低減できる効果がある。
【実施例５】
【００５８】
図８は、本発明の実施形態５における受信装置１の構成を示すブロック図である。
図１で示した受信装置１の構成との差は、速度情報取得部１１を追加したことである。速度情報取得部１１は、図示しないカーナビゲーションなどの装置から受信装置１が搭載された移動体の移動速度を取得し、取得した移動速度情報を制御部８に供給する。
以下、図９を参照して実施形態５におけるスキャン処理の動作を説明する。
【００５９】
図９は、本発明の実施形態５におけるスキャン処理の動作を示すフローチャートである。
図３で示したスキャン処理との差は、図３でのステップＳ３０７をステップＳ９０１及びステップＳ９０２に変更したこと、また図３でのステップＳ３０９をステップＳ９０１及びステップＳ９０３に変更したことである。
【００６０】
ステップＳ９０１では、制御部８は、速度情報取得部１１より移動体の速度情報を取得し、メモリする。ステップＳ９０２では、制御部８は、次回のステップＳ２０５を行う際のタイマ時間として、（式１）を用いて設定する。
タイマ時間＝α／（移動速度）          ・・・・（式１）
ここで、αは移動体が所定の距離を移動した際にチャンネルスキャンが実行されるように設定するための係数である。例えば、移動体が１０ｋｍ移動するたびにチャンネルスキャンを実施するように制御を行う場合はα＝１０ｋｍとし、移動体の移動速度が４０ｋｍ／ｈであるとすると、タイマ時間＝（１０ｋｍ）／（４０ｋｍ／ｈ）＝０．２５ｈ＝１５分が設定される。
【００６１】
また、ステップＳ９０３では、制御部８は、次回のステップＳ２０５を行う際のタイマ時間として、（式２）を用いて設定する。
タイマ時間＝β／（移動速度）          ・・・・（式２）
ここで、βはステップＳ９０２のαと同様に、移動体が所定の距離を移動した際にチャンネルスキャンが実行されるように設定するための係数である。但し、β＜αとし、チャンネルスキャンにより視聴番組のチャンネルの受信状態よりは不良であるが、受信可能な中継局のチャンネルが見つかった場合は、移動体の移動距離が少ない場合でもチャンネルスキャンが実施されるようにする。
【００６２】
本発明の実施形態１〜実施形態４のように、所定のタイマ時間“タイマＡ”、“タイマＢ”、“タイマＣ”を用いた場合、移動体が移動しなくても所定時間ごとにチャンネルスキャンを繰返してしまう。これに対し、本実施形態では、移動体の移動速度を用いてタイマ時間を設定するため、移動体が所定の距離を移動した場合にチャンネルスキャンを実施することができる。したがって、移動体の周囲の電波環境が確実に変化した状況でチャンネルスキャンが実施されるため、より適切なタイミングでチャンネルスキャンを実行できる効果がある。
【００６３】
以上に示した本発明の実施形態において、受信装置１は、第１受信系統１０ａ及び第２受信系統１０ｂの２つの受信系統を有する構成について説明したが、３つ以上の受信系統より構成することも可能である。例えば、４つの受信系統から構成される場合には、通常は４つの受信系統に同一チャンネルを選局し、各チャンネル信号を復調部４に供給する。復調部４は４つのチャンネル信号を用いてダイバーシティ合成復調を行い、生成されたＴＳ信号をＴＳ解析部５ａに出力することで、４つの受信系統を番組視聴に用いることができる。また、チャンネルスキャンを実施する場合には、任意の２つの受信系統をチャンネルスキャン用の受信系統に割り当て、残り２つの受信系統を番組視聴用に割り当てれば良い。このように、４つの受信系統を備えた構成とすることにより、２つの受信系統を備えた構成と比較して、より安定した番組受信を実現し、またチャンネルスキャンのスキャン性能を向上させることができる。
このように、ここまで示した実施形態は一例であって本発明を限定するものではない。本発明の趣旨に基づきながら異なる実施形態を考えられるが、いずれも本発明の範疇にある。
【符号の説明】
【００６４】
１…受信装置、２ａ、２ｂ…アンテナ部、３ａ、３ｂ…選局部、４…復調部、５ａ、５ｂ…ＴＳ解析部、６…デコード部、７…出力部、８…制御部、９…操作部、１０ａ…第１受信系統、１０ｂ…第２受信系統、１１…速度情報取得部。
【図１】
0005548097.tif 000002
【図２】
0005548097.tif 000003
【図３】
0005548097.tif 000004
【図４】
0005548097.tif 000005
【図５】
0005548097.tif 000006
【図６】
0005548097.tif 000007
【図７】
0005548097.tif 000008
【図８】
0005548097.tif 000009
【図９】
0005548097.tif 000010